(57)【要約】      （修正有）【課題】２つの加熱送風ユニットを備え、不使用時に収納、携帯が可能で、暖房機としても使用可能な多機能乾燥機を提供する。【解決手段】多機能乾燥機は、進気口１１０を有するハウジング１００と、ハウジング内に設置される制御パネルと、および、ハウジング内に設置される少なくとも２つの加熱送風ユニットと、を含み、加熱送風ユニットはそれぞれ、制御パネルに電気接続される送風装置と、送風装置の出気口に連通する、導気するための導気カバーと、および、導気カバー内に設置され、制御パネルに電気接続される、空気を加熱するための発熱装置とを、含み、隣り合う加熱送風ユニットの導気カバーは相互に分離し、それぞれ独立に設置されており、ハウジングにおける各加熱送風ユニットの導気カバーに対応する位置に、それぞれ第１出気口が設置されており、第１出気口に出気管２００が着脱可能に設置されている。出気管と第１出気口とが着脱可能で、収納や携帯が可能で、暖房機としても使用できる。【選択図】図１
0003229724.tif 000002
【実用新案登録請求の範囲】
【請求項１】
進気口を有するハウジングと、前記ハウジング内に設置される制御パネルと、および、前
記ハウジング内に設置される少なくとも２つの加熱送風ユニットと、を含み、
前記加熱送風ユニットはそれぞれ、前記制御パネルに電気接続される送風装置と、前記送
風装置の出気口に連通する、導気するための導気カバーと、および、前記導気カバー内に
設置され、前記制御パネルに電気接続される、空気を加熱するための発熱装置とを、含み
、
隣り合う前記加熱送風ユニットの導気カバーは相互に分離し、それぞれ独立に設置されて
おり、前記ハウジングにおける各前記加熱送風ユニットの導気カバーに対応する位置に、
それぞれ第１出気口が設置されており、前記第１出気口に出気管が着脱可能にが設置され
ている、
ことを特徴とする多機能乾燥機。
【請求項２】
前記導気カバーに制御パネルに電気接続するスナップアクションサーモスタットが取付け
られており、前記スナップアクションサーモスタットは、前記発熱装置と前記第１出気口
の間に位置されていることを特徴とする請求項１に記載の多機能乾燥機。
【請求項３】
前記出気管は、前記第１出気口に嵌合する継手と、前記継手に接続される、導気するため
の通気管と、前記通気管に接続される中空管と、および、前記中空管の外側壁に設置され
るホルダとを、含み、
前記中空管の対向する両側壁に２つの滑り孔が対称的にが設置され、前記ホルダの対向す
る両内側壁における滑り孔に対応する位置に固定柱が設置されており、前記固定柱は滑り
孔内に挿接されており、前記滑り孔の末端に固定柱を位置限定するための係合穴が設置さ
れていることを特徴とする請求項２に記載の多機能乾燥機。
【請求項４】
前記中空管の一端に風路に連通する蓋体が設置され、その他端に導気するための導気マウ
スが設置されており、前記導気マウス内にアロマブロックまたはスパイスを着脱可能に配
置するためのボックスが設置されていることを特徴とする請求項３に記載の多機能乾燥機
。
【請求項５】
前記蓋体上にカラビナが設置され、前記ハウジングにカラビナに係合する掛け穴が設置さ
れていることを特徴とする請求項４に記載の多機能乾燥機。
【請求項６】
前記ホルダは、第１パネルと、および前記第１パネルの両側に垂直に設置される第２パネ
ルと、を含み、前記固定柱は第２パネルに位置していることを特徴とする請求項３に記載
の多機能乾燥機。
【請求項７】
前記第１パネルにおける中空管と反対側の一側面に複数個の第１支持脚が設置されている
ことを特徴とする請求項６に記載の多機能乾燥機。
【請求項８】
前記滑り孔は、第１段の孔と、および前記第１段の孔に接続されかつ垂直に設置される第
２段の孔とを含み、前記係合穴は前記第１段の孔における第２段の孔と反対側の一端に位
置されていることを特徴とする請求項３に記載の多機能乾燥機。
【請求項９】
前記ハウジングに、前記制御パネルに電気接続するデジタルディスプレーと、ファンクシ
ョンバッタンと、および指示ライトとが設置されていることを特徴とする請求項５に記載
の多機能乾燥機。
【請求項１０】
前記発熱装置はＰＴＣ放熱シートとすることを特徴とする請求項２に記載の多機能乾燥機
。
【考案の詳細な説明】
【技術分野】
【０００１】
本実用新案は乾燥機の技術分野に関するもので、特に多機能乾燥機に関する。
【従来の技術】
【０００２】
周知のように、生活水準の向上に伴って、乾燥機や、暖房機が提出されている。従来の乾
燥機は、ファンの吸引作用で、換気口を介して外部の新鮮空気を導入して、加熱器と熱交
換させて、暖かい空気に変えるように動作するのが一般的である。
【０００３】
ところが、従来の乾燥機は構造が複雑で、風路が乾燥機と一体型で、分解できないもので
ある。このような乾燥機の場合、その外出や携帯、収納などは、不便で、人のニーズを満
たせない。また、この乾燥機の出風口は、一層の布団暖化効果を求めるために、出風口の
側壁に出風口を支えるための回転ホルダを回転可能に備えているが、この回転ホルダは、
布団の移動などによる外力が作用するとき、閉合させられてしまうことがある。したがっ
て、布団暖化効果に影響を及ぼすことがある。
【０００４】
したがって、従来の技術では、さらに改良、また創造を実行する余地がある。
【考案の概要】
【０００５】
上記の問題を解決するために、本実用新案は以下の多機能乾燥機を提供する。
進気口を有するハウジングと、前記ハウジング内に設置される制御パネルと、および、
前記ハウジング内に設置される少なくとも２つの加熱送風ユニットと、を含み、前記加熱
送風ユニットはそれぞれ、前記制御パネルに電気接続される送風装置と、前記送風装置の
出気口に連通する、導気するための導気カバーと、および、前記導気カバー内に設置され
、前記制御パネルに電気接続される、空気を加熱するための発熱装置とを、含み、隣り合
う前記加熱送風ユニットの導気カバーは相互に分離し、それぞれ独立に設置されており、
前記ハウジングにおける各前記加熱送風ユニットの導気カバーに対応する位置に、それぞ
れ第１出気口が設置されており、前記第１出気口に出気管が着脱可能にが設置されている
、多機能乾燥機である。
好ましくは、前記導気カバーに制御パネルに電気接続するスナップアクションサーモス
タットが取付けられており、前記スナップアクションサーモスタットは、前記発熱装置と
前記第１出気口の間に位置されている。
好ましくは、前記出気管は、前記第１出気口に嵌合する継手と、前記継手に接続される
、導気するための通気管と、前記通気管に接続される中空管と、および、前記中空管の外
側壁に設置されるホルダとを、含み、前記中空管の対向する両側壁に２つの滑り孔が対称
的にが設置され、前記ホルダの対向する両内側壁における滑り孔に対応する位置に固定柱
が設置されており、前記固定柱は滑り孔内に挿接されており、前記滑り孔の末端に固定柱
を位置限定するための係合穴が設置されている。
好ましくは、前記中空管の一端に風路に連通する蓋体が設置され、その他端に導気する
ための導気マウスが設置されており、前記導気マウス内にアロマブロックまたはスパイス
を着脱可能に配置するためのボックスが設置されている。
好ましくは、前記蓋体上にカラビナが設置され、前記ハウジングにカラビナに係合する
掛け穴が設置されている。
好ましくは、前記ホルダは、第１パネルと、および前記第１パネルの両側に垂直に設置
される第２パネルと、を含み、前記固定柱は第２パネルに位置している。
好ましくは、前記第１パネルにおける中空管と反対側の一側面に複数個の第１支持脚が
設置されている。
好ましくは、前記滑り孔は、第１段の孔と、および前記第１段の孔に接続されかつ垂直
に設置される第２段の孔とを含み、前記係合穴は前記第１段の孔における第２段の孔と反
対側の一端に位置されている。
好ましくは、前記ハウジングに、前記制御パネルに電気接続するデジタルディスプレー
と、ファンクションバッタンと、および指示ライトとが設置されている。
好ましくは、前記発熱装置はＰＴＣ放熱シートとする。
【０００６】
本実用新案は、従来の技術に比べて、下記のとおり、技術効果を具備する。本実用新案に
おいて提出する多機能乾燥機は、両加熱送風ユニットとする。出気管によって同時に２つ
の乾燥袋に合わせて使用できる。各加熱送風ユニットの送風装置に、それぞれ一つの空気
を導出する導気カバーが対応する。また隣り合う加熱送風ユニットの導気カバーがそれぞ
れ互いに分離して独立に設置している。それによって制御パネルにより単独に制御する。
即ち２つの加熱送風ユニットの別々作動が可能であり、単独にその一つを使用することも
可能である。また、隣り合う加熱送風ユニットの導気カバーの間は、発熱装置による加熱
空気の温度によって相互に干渉することが存在しなく、便利に使用できる。なお、出気管
と第１出気口とが着脱可能に設置されるように構成されるので、多機能乾燥機の不使用際
に、出気管を取り外して単独に収納することができる。これによって、外出時にそれを携
帯することが大丈夫である。また、この多機能乾燥機は第１出気口から出気管を分解して
暖房機として使用することもできる。これによって、室内を昇温することができる。した
がって、乾燥機の実用性を拡大し、また多機能化を実現することができる。
【図面の簡単な説明】
【０００７】
【図１】本実用新案実施例の多機能乾燥機の斜視図。
【図２】本実用新案実施例の多機能乾燥機の一部の分解図。
【図３】本実用新案実施例の多機能乾燥機の出気管を除いた上面図。
【図４】同図３における多機能乾燥機の出気管を除いたＡ−Ａ方向に沿う断面図。
【図５】本実用新案実施例の多機能乾燥機の内部模式図。
【図６】本実用新案実施例の多機能乾燥機の一部の出気管の分解図。
【図７】本実用新案実施例の多機能乾燥機における中空管およびホルダの布団暖化時における状態模式図。
【考案を実施するための形態】
【０００８】
以下、図面とともに、本実施形態について説明する。
図１〜図７に示されるように、本実用新案実施例は多機能乾燥機を提供する。該多機能乾
燥機は、ハウジング１００、制御パネル３００、および少なくとも２つの加熱送風ユニッ
トを含む。ハウジング１００に進気口１１０が開設されている。制御パネル３００はハウ
ジング１００内に設置されている。各加熱送風ユニットはそれぞれハウジング１００内に
設置されている。
【０００９】
各加熱送風ユニットはそれぞれ送風装置４００、導気カバー６００および発熱装置５００
を含む。送風装置４００はt制御パネル３００に電気接続されている。導気カバー６００
の一端と送風装置４００の出気口とが連通して、送風装置４００からの気流を導出する。
発熱装置５００は導気カバー６００内に設置されかつ制御パネル３００に電気接続され、
送風装置４００からの気流を加熱する。また、隣り合う加熱送風ユニットの導気カバー６
００が相互に分離し、独立に設置する。ハウジング１００における各加熱送風ユニットの
導気カバー６００に対応する位置にそれぞれ第１出気口１７０が設置されており、第１出
気口１７０に出気管２００が着脱可能に設置されている。
【００１０】
本実用新案の多機能乾燥機を使用するに際しては、制御パネル３００によって送風装置４
００を動作させるように制御して気流を発生させる。また発熱装置５００を加熱させるよ
うに制御して送風装置４００からの気流を加熱する。気流が導気カバー６００を介して、
ハウジング１００上の第１出気口１７０から導出される。第１出気口１７０における出気
管２００と、乾燥袋（たとえば衣類乾燥バッグ、衣類消毒ボックス等）との共同利用によ
って衣類乾燥や、靴乾燥、布団暖化等のファンクションを実現することができる。
【００１１】
また、本実用新案に提供される多機能乾燥機は、２つの加熱送風ユニットを具備するとす
る。出気管２００によって同時に２つの乾燥袋に合わせて使用できる。各加熱送風ユニッ
トの送風装置４００に、それぞれ一つの導気カバー６００が対応してそれぞれ空気を導出
する。また隣り合う加熱送風ユニットの導気カバー６００が相互に分離し、独立に設置す
る。それによって制御パネル３００により単独に制御する。即ち両組の加熱送風ユニット
は別々に作動することが可能であり、よって単独にその一つの加熱送風ユニットを使用す
ることも可能である。また、隣り合う加熱送風ユニットの導気カバー６００間は、発熱装
置５００による加熱空気の温度によって相互に干渉することがないようにでき、便利に使
用できる。なお、第１出気口１７０に出気管２００が着脱可能に設置されるとする。それ
によって多機能乾燥機の不使用際に、出気管２００を取り外して単独に収納することがで
きる。したがって、外出時にそれを携帯することができる。また、該多機能乾燥機は第１
出気口１７０上から出気管２００を分解して暖房機として使用してもよく、それによって
室内温度を昇温することができる。したがって、乾燥機の実用性を拡大し、多機能化を実
現することができる。
【００１２】
具体的に、本実施例では、加熱送風ユニットは２つ備えられる。また２つの加熱送風ユニ
ットが相互に独立して、且つ並列に間隔的に設置する。図２〜５に示されるように、２つ
の加熱送風ユニットの発熱装置５００は、発熱温度が異なる時に相互に干渉することによ
って発熱装置５００の温度制御に悪影響を与えるなどを回避する。
【００１３】
送風装置４００は送風機（ａｉｒ−ｂｌｏｗｅｒ）や、遠心式風機など、送風機能を具備
する装置とすることができる。またハウジング１００内に支持フレーム４１０が設置され
、送風装置４００が支持フレーム４１０上に機械的に設置される。たとえば送風装置４０
０はネジによって支持フレーム４１０に設置される。
【００１４】
一の実施例では、恒温効果を達成するために、各加熱送風ユニット中の導気カバー６００
にそれぞれ制御パネル３００に電気接続するスナップアクションサーモスタット５１０が
取付けられている。スナップアクションサーモスタット５１０は、発熱装置５００と第１
出気口１７０の間に位置する。スナップアクションサーモスタット５１０は、気流の温度
を検出して、また制御機にフィードバックする。即ち、気流温度が予定温度に達すると、
制御機によって発熱装置５００に加熱を停止させるように制御する。またスナップアクシ
ョンサーモスタット５１０によって気流温度が予定温度より大きくないと検知する場合、
制御機によって発熱装置５００に加熱を継続させるように制御する。これによって、発熱
装置５００は一定の温度以上に保持できる。また具体的に、発熱装置５００はＰＴＣ放熱
シートとしている。
【００１５】
一の実施例では、ハウジング１００に制御パネル３００に電気接続するデジタルディスプ
レー１５０、ファンクションバッタン１６０および指示ライト１４０が設置されている。
デジタルディスプレー１５０によって発熱装置５００の加熱温度または動作時間を表示す
る。ファンクションバッタン１６０によってファンクションモード、たとえば布団暖化モ
ード、衣類乾燥モード、ダニ除去モードなどを選択可能である。また、ファンクションバ
ッタン１６０によって発熱装置５００の加熱温度または時間等を調節することも可能であ
る。指示ライト１４０によって人に温度や工作状態等を了解させることができる。
【００１６】
一の実施例では、第１出気口１７０の内側に内ネジ１８０が設置され、出気管２００の外
側に内ネジ１８１に噛合する外ネジ（図に示されず）が設置されている。したがって、第
１出気口１７０と導気管２００の間は着脱可能となっている。
【００１７】
一の実施例では、進気口１１０はハウジング１００の底面および両側面に位置する。これ
によって、送風装置４００で気流を発生しやすい。またハウジング１００の低端に第２支
持脚１２０が設置される。第２支持脚１２０によって本実用新案の乾燥機を配置する時に
ハウジング１００の底面と配置面とを隔離させることができるので、進気口１１０の進気
を順調にさせる。
【００１８】
一の実施例では、出気管２００は継手２２０、通気管２３０、中空管２４０およびホルダ
２５０を含む。雄ネジが、継手２２０の一端に設置され、第１出気口１７０に噛み合う。
また継手２２０の他端が通気管２３０に接続され、中空管２４０が通気管２３０に接続さ
れ、ホルダ２５０が中空管２４０の外側壁に設置される。中空管２４０の対向する両側壁
に２つの滑り孔２４１が対称的に設置され、ホルダ２５０の対向する両内側壁における滑
り孔２４１に対応する位置に固定柱２５１が設置される。固定柱２５１が滑り孔２４１内
に挿接し、滑り孔２４１の末端に固定柱２５１を位置限定するための係合穴２４２が設置
されている。
【００１９】
このようにして、布団暖化動作に際しては、ホルダ２５０は、固定柱２５１が滑り孔２４
１に沿って移動してから、固定柱２５１が係合穴２４２内に落ちるまでによってホルダ２
５０により上へ布団をさすようにできる（図７に示す）。このとき、人によって布団を引
いたとしても、固定柱２５１の係合穴２４２での位置限定によって、布団に連動してホル
ダ２５０を移動させることでホルダ２５０を中空管２４０上へ閉合するという不都合が発
生しないようにできるので、効果的に布団を差して布団暖化を実現することができる。し
たがって、従来技術の欠陥を克服することができる。
【００２０】
具体的に、中空管２４０の一端に蓋体２４３が設置され、その他端に導気マウス２４４が
設置され、導気マウス２４４内にボックス２１０が着脱可能に設置されている。蓋体２４
３によって乾燥機の風路２００を連通する。導気マウス２４４によって乾燥袋とともに衣
類などを乾燥する機能を発揮できる。ボックス２１０はアロマブロックまたはスパイス等
を配置する。したがって、実際によって好みの香味をセットすることができる。これによ
って、乾燥後の衣類などに香りを付けることができ、本実用新案の乾燥機の実用性を拡大
する。
【００２１】
具体的に、導気マウス２４４と中空管２４０の間にさらに介在接続件２４５が接続され、
介在接続件２４５および導気マウス２４４の内部にそれぞれボックス２１０を挿接するた
めの挿接溝２４４１が設置されている。ボックス２１０は挿接溝２４４１内に挿接してい
る。ボックス２１０は着脱可能な構成とすることによって便利に使用できる。
【００２２】
好ましい構成としては、一の実施例では、蓋体２４３上にカラビナ２４３１が設置され、
ハウジング１００にカラビナ２４３１に係合する掛け穴１９０が設置されている。本実用
新案の多機能乾燥機は不使用際に、カラビナ２４３１を掛け穴１９０に掛けるとする。こ
れによって、出気管２００をハウジング１００に貼合させる。このようにして多機能乾燥
機の全体的な占用空間を減少し、出気管２００の収納を実現することができる。
【００２３】
ホルダ２５０は、第１パネル２５２と、および第１パネル２５２の両側に垂直に設置され
る第２パネル２５３を含む。断面Ｕ字状のホルダ２５０とすることにより、中空管２４０
に合わせて設置することができる。なお、固定柱２５１は第２パネル２５３上に位置する
。
【００２４】
滑り孔２４１は、第１段の孔２４１１と、および第１段の孔２４１１に接続され且つ垂直
に節される第２段の孔２４１２とを含み、係合穴２４２は第１段の孔２４１１における第
２段の孔２４１２と反対側の一端に位置している。ホルダ２５０が中空管２４０に貼合さ
れていると、固定柱２５１が第２段の孔２４１２内に配置される。ホルダ２５０により布
団を支持していると、固定柱２５１が係合穴２４２内に配置される。
【００２５】
係合穴２４２は第１段の孔２４１１に垂直に設置されてもよく、係合穴２４２は半包状の
円形としてもよい。さらに、該係合穴２４２に進入する開口が固定柱２５１等よりほぼ小
さくする。
【００２６】
一の実施例では、第１パネル２５２に第１支持脚２５４が設置されている。ホルダ２５０
により布団を支持する。第１支持脚２５４によって効果的にホルダ２５０の接触面を減少
し、布団中の空気流通を増強し、布団暖化の効率を向上することができる。
【００２７】
前記述べたものは、本考案の実施形態だけであり、前記の具体のな実施形態は、普通技術
者は本考案の原理と精神の範疇内において、各種の変形及び修正、置換、変形を行うこと
ができる。本実用新案の保護範囲は、実用新案登録請求の範囲及びその均等物である。
【図１】
0003229724.tif 000003
【図２】
0003229724.tif 000004
【図３】
0003229724.tif 000005
【図４】
0003229724.tif 000006
【図５】
0003229724.tif 000007
【図６】
0003229724.tif 000008
【図７】
0003229724.tif 000009